(57)【要約】【課題】フラットベッド型の画像読取装置において、キャリッジを簡単かつ低コストな構成で接地させて、ＥＭＩを抑制する。【解決手段】少なくとも光源ランプ１３ｂを設けたキャリッジ１３を、原稿台のプラテンガラスに沿って移動させて、原稿を読み取る画像読取装置において、キャリッジ１３は、金属フレーム１３ａを有し、キャリッジ１３ａと装置本体の回路との間に介在するフラットケーブル１９は、金属フレーム１３ａを装置本体に接地するための導電線を含んでいる。【選択図】図１
2008216651.tif 000002
【特許請求の範囲】
【請求項１】
少なくとも光源ランプを設けたキャリッジを、原稿台のプラテンガラスに沿って移動させて、原稿を読み取る画像読取装置において、
上記キャリッジは、金属フレームを有し、
上記キャリッジと装置本体の回路との間に介在するフラットケーブルは、上記金属フレームを装置本体に接地するための導電線を含んでいることを特徴とする画像読取装置。
【請求項２】
請求項１において、
上記フラットケーブルは、フレキシブルプリント基板によって形成されていることを特徴とする画像読取装置。
【請求項３】
請求項１または２において、
上記キャリッジには、上記光源ランプから照射されて上記原稿によって反射された光を、装置本体に固定された受光部に導くためのミラーが更に設けられていることを特徴とする画像読取装置。
【請求項４】
請求項１または２において、
上記キャリッジには、イメージセンサと、上記光源ランプから照射されて上記原稿によって反射された光を、そのイメージセンサに導くためのレンズとが更に設けられていることを特徴とする画像読取装置。
【発明の詳細な説明】
【技術分野】
【０００１】
本発明は、フラットベッド型の画像読取装置におけるＥＭＩの抑制に関する。
【背景技術】
【０００２】
スキャナ、ファクシミリ装置等のフラットベッド型の画像読取装置は、原稿台のプラテンガラスに置かれた原稿に対して、ガラスの反対側から光を照射し、その反射光を読み取る構成になっている。この構成では、冷陰極管（蛍光管）等の光源ランプを設けたキャリッジをプラテンガラスに沿って平行移動させるが、その電源であるインバータは、スイッチング周波数の高調波ノイズを含んだ電源を出力するため、光源ランプが、その高調波の電磁波を輻射するというＥＭＩの問題が生じる。しかし、その対策のために、移動可能なキャリッジを装置本体に対して接地することは構造的に難しかった。
【０００３】
このような問題に対する従来技術の例として、次の特許文献１には、キャリッジと本体基板とを接続するフレキシブルフラットケーブル（ＦＦＣ）を、スキャナハウジング内部に固定、接地した板金部材に接触させるようにした画像入出力装置が開示されている。また、特許文献２には、走査光学系、イメージセンサ、画像処理回路を搭載したキャリッジに導電ブラシを設け、装置本体のフレーム構造体に摺接させるようにした画像読取装置が開示されている。
【特許文献１】特開２００５−５７６２８号公報
【特許文献２】特開平６−３０１１２１号公報
【発明の開示】
【発明が解決しようとする課題】
【０００４】
しかしながら、特許文献１の構成では、スキャナハウジングの内側に金属面を露出させた錆ない板金部材を設ける必要がある。また、特許文献２の構成でも、スキャナハウジングの内側に金属面を露出させた板金部材を設け、更に、キャリッジに導電ブラシを設ける必要がある。このように、従来技術では、キャリッジを装置本体に接地させるための構成が複雑で、コスト高になるという問題があった。
【０００５】
そこで、本発明は、フラットベッド型の画像読取装置において、キャリッジを簡単かつ低コストな構成で接地させて、ＥＭＩを抑制することを課題としている。
【課題を解決するための手段】
【０００６】
上記課題を解決するため、本発明は、少なくとも光源ランプを設けたキャリッジを、原稿台のプラテンガラスに沿って移動させて、原稿を読み取る画像読取装置において、キャリッジは、金属フレームを有し、そのキャリッジと装置本体の回路との間に介在するフラットケーブルは、キャリッジの金属フレームを装置本体に接地するための導電線を含んでいる。なお、上記フラットケーブルは、フレキシブルプリント基板によって形成することが望ましい。
【０００７】
ここで、上記キャリッジは、少なくとも光源ランプが設けられているが、更に、その光源ランプから照射されて原稿によって反射された光を、装置本体に固定された受光部に導くためのミラーが更に設けられていてもよい。あるいは、その光源ランプ以外に、イメージセンサと、光源ランプから照射されて原稿によって反射された光を、そのイメージセンサに導くためのレンズとが設けられていてもよい。
【発明の効果】
【０００８】
本発明では、キャリッジを構成する金属フレームを、そのキャリッジに設けられた光源ランプに電源を供給するためのフラットケーブルを通じて、装置本体に接地しているので、構成が簡単であり、キャリッジを接地するためのコストが少なくて済む。そして、そのフラットケーブルをフレキシブルプリント基板で形成した場合には、導電線を形成する面を適切に選択することにより耐久性が期待でき、更に、キャリッジを接地するための導電線を形成するコストも僅かで済むという効果もある。
【発明を実施するための最良の形態】
【０００９】
以下、本発明を図に従って詳細に説明する。本発明は、スキャナ、ファクシミリ装置等のフラットベッド型の画像読取装置に適用できる。
【実施例１】
【００１０】
図１は、本発明による画像読取装置の原稿台内部に設けられるランプキャリッジを示す部分切断斜視図であるが、図では、ランプキャリッジに設けられた光源ランプの電源であるインバータと、インバータを接続するフラットケーブル以外の装置構成要素は省略している。
【００１１】
ランプキャリッジ１３を構成する金属フレーム１３ａは、例えば鉄等の板金で形成されたもので、反射光によって原稿を読み取る受光部側（Ｘ側）の立壁や、原稿からの反射光を反射させるミラーキャリッジ側（Ｙ側）の立壁等が曲げ加工によって形成されており、後者の立壁には、余分な光を規制するスリットが形成されている。なお、前者の立壁は、図で光源ランプ１３ｂ等を示すために一部切断した状態で示している。金属フレーム１３ａの底面には、冷陰極管で構成された光源ランプ１３ｂと、ミラー１３ｃと、フラットケーブル１９を裏側から固定するコネクタ１３ｅとが固定されている。また、金属フレーム１３ａの両端には、ベルト固定部１３ｄが形成されている。このベルト固定部１３ｄは、ランプキャリッジ１３をプラテンガラスに沿って平行移動させるための駆動ベルトに固定される。
【００１２】
ここで、フラットケーブル１９には、曲げ耐久性に優れたフレキシブルプリント基板を用いている。フレキシブルプリント基板の一方の面には、３本の導電線が形成されており、図中、最も左側の導電線が、金属フレーム１３ａを装置本体に接地するためのものである。従って、導電線が１本追加されることになるが、フレキシブルプリント基板は、導電線を２本から３本に増やしても、コストへの影響はごく僅かである。また、図に示すように、コネクタ１３ｅから導出されているリード線のそれぞれは、コネクタ内部でフレキシブルプリント基板の対応する導電線と結合しており、最も左側から導出されたリード線は、先端がネジ止めによって金属フレーム１３ａの底面と電気的に接続され、他の２本のリード線は、先端が光源ランプ１３ｂに接続されている。
【００１３】
フレキシブルプリント基板の他端側は、図で省略されているが、コネクタ１３ｅと同様なコネクタによって装置本体に固定される。なお、フレキシブルプリント基板の最も左側の導電線は、その不図示なコネクタのリード線を介して、装置本体に筐体接地され、他の２本の導電線も、その不図示なコネクタのリード線を介して、インバータ１８に接続される。なお、この例では、フレキシブルプリント基板は、インバータ１８が配置された受光部側（Ｘ側）から、反対側（Ｙ側）に向かって延び、１９ｂで折り返して、ランプキャリッジ１３に固定されているが、この配置では、フレキシブルプリント基板の導電線は、装置の他の部分と擦れて傷つくの防止するため、折り返し部分の曲がりに対して内側の面に形成することが望ましい。
【００１４】
光源ランプ１３ｂは、冷陰極管（蛍光管）で構成されており、周波数が４０ｋ〜５０ｋＨｚ程度の交流電源によって点灯するが、必要電圧はかなり高く、具体的な数値としては、始動時のガス点火のために１５００Ｖ程度を必要とし、点火後は継続的に７００Ｖ程度を必要とする。直流−交流インバータは定電流源なので過電圧は発生しにくいが、通常、インバータが発生させた交流電圧には、スイッチングノイズが含まれているため、光源ランプ１３ｂは、インバータ１８におけるスイッチングの高調波ノイズを輻射するというＥＭＩの問題が生じる。
【００１５】
また、点灯中の光源ランプ１３ｂは、表面電位が変化するために、その近傍にある金属フレーム１３ａに向かって変位電流が流れる。ここで、金属フレーム１３ａが接地されていない場合には、金属フレーム１３ａは、変位電流による電荷によって電位レベルが変化するため、光源ランプ１３ｂからのノイズを吸収するシールドとして充分に機能しない。
【００１６】
ところが、本発明では、金属フレーム１３ａは、フラットケーブル１９に形成した導電線によって装置本体に接地されているため、変位電流による電荷を装置本体に逃がすことができ、電位レベルが常に接地レベルに保たれるので、光源ランプ１３ｂからのノイズを吸収するシールドとして有効に機能することになり、ＥＭＩが抑制される。この効果を高めるためには、ランプキャリッジ１３において、光源ランプ１３ｂ全体が、原稿に向けて照射する光や、その反射光が通過するための最小の開口を形成した金属フレーム１３ａによって覆われる形状にすることが望ましい。
【００１７】
図２は、別の実施例における原稿台１１の構成を説明する斜視図である。この画像読取装置１の原稿台１１は、上面を構成するプラテンガラス１２の下側に、ランプキャリッジ１３と、ミラーキャリッジ１４と、受光部１５とが設けられている。この受光部１５には、ミラーキャリッジ１４に向いた開口の奥に、レンズと、ＣＣＤセンサとが設けられている（不図示）。
【００１８】
ランプキャリッジ１３は、鉄等の板金からなる金属フレーム１３ａを有しており、そこに、冷陰極管で構成され原稿に対して光を照射する光源ランプ１３ｂと、原稿からの反射光をミラーキャリッジ１４に向かって反射させるミラー１３ｃとが固定されている。なお、金属フレーム１３ａの受光部１５に面する部分は、光を遮断する立壁が形成され、ミラーキャリッジ１４に面する部分もスリットを設けた立壁が形成されている。
【００１９】
ミラーキャリッジ１４も金属フレーム１４ａを有し、そこに、ランプキャリッジ１３からの光をＵターンさせて、受光部１５に向かわせる２枚のミラー１４ｂ、１４ｃが固定されている。
【００２０】
ランプキャリッジ１３と、ミラーキャリッジ１４は、それぞれの両端が原稿台１１内部でスライド自在に支持され、更に、駆動ベルト１６ａ、１６ｂに固定されている。駆動ベルト１６ａ、１６ｂは、それぞれ、２段プーリー１７の大径部と、その大径部の半分の径とされた小径部とに掛けられているので、原稿読取時に２段プーリー１７をステッピングモータ等によって回転させれば、ランプキャリッジ１３、ミラーキャリッジ１４は、２：１の速度比で同方向に移動する。そのため、光源ランプ１３ｂから照射された光のプラテンガラス１２上に載置された原稿に反射され、受光部１５に設けたＣＣＤセンサに至るまでの光路は、常に一定長になる。
【００２１】
インバータ１８は、装置本体の回路として光源ランプ１３ｂに交流電源を供給するため、フラットケーブル１９を通じて光源ランプ１３ｂに接続されている。このフラットケーブル１９は、捻れ防止のために、ランプキャリッジ１３に設けた開口を経由するように配置されている。そして、本発明の特徴として、フラットケーブル１９には、光源ランプ１３ｂに電源を伝送する導電線だけでなく、金属フレーム１３ａを装置本体に接地するための導電線を含ませることにより、光源ランプ１３ｂから輻射されるノイズを抑制している。フラットケーブル１９は、上記のようにフレキシブルプリント基板で構成することが望ましいが、それに限定されない。
【００２２】
図３は、上記原稿台１１による読取動作を説明する横方向から見た模式図である。この図では、原稿台１１のプラテンガラス１２上に原稿Ｐが置かれており、原稿読み取り時には、プラテンガラス１２の下側で、ランプキャリッジ１３とミラーキャリッジ１４が、受光部１５が固定された右側（副走査方向）に向かって移動する。ここで、ランプキャリッジ１３と、ミラーキャリッジ１４の移動速度は２：１なので、受光部１５が１走査線分を読み取る毎に、ランプキャリッジ１３は、次の走査線の位置まで移動し、ミラーキャリッジ１４は、その半分の間隔だけ移動する。
【００２３】
次いで、光学系の概略作用を説明すると、ランプキャリッジ１３の光源ランプ１３ｂから照射された光は、プラテンガラス１２を透過し、原稿Ｐによって反射されて、ミラー１３ｃに戻ってくる。そして、ミラー１３ｃによって、ミラーキャリッジ１４側に反射された光は、ミラーキャリッジ１４に設けられたミラー１４ｂ、１４ｃによって反射されてＵターンし、受光部１５に向かっていく。そして、受光部１５に設けられたレンズ１５ａにより収束されて、ＣＣＤセンサ１５ｂに入射するようになっている。
【００２４】
なお、上記実施例の画像読取装置１は、光源ランプ１３ｂ、ミラー１３ｃを設けたランプキャリッジ１３と、２枚のミラー１４ａ、１４ｂを設けたミラーキャリッジ１４との２つのキャリッジを備えているが、本発明は、それとは異なる構成、例えば、光源ランプと、ラインイメージセンサと、光源ランプから照射されて原稿Ｐによって反射された光をそのラインイメージセンサに導くためのセルホックレンズを設けたキャリッジを１つだけ設けた構成にも適用できる。この変形例では、読取信号を高速クロックにより同期転送するため、そのクロックの高周波ノイズが輻射されるが、フラットケーブルによって本体に接地されたキャリッジの金属フレームは、そのようなノイズに対するシールドとしての機能を発揮する。
【図面の簡単な説明】
【００２５】
【図１】本発明の実施例に設けるランプキャリッジの部分切断斜視図である。
【図２】別の実施例における原稿台の構成を説明する斜視図である。
【図３】原稿台による読取動作を説明する模式図である。
【符号の説明】
【００２６】
１      画像読取装置
１１    原稿台
１２    プラテンガラス
１３    キャリッジ
１３ａ  金属フレーム
１３ｂ  光源ランプ
１５    受光部
１９    フラットケーブル（フレキシブルプリント基板）
Ｐ      原稿
【図１】
2008216651.tif 000003
【図２】
2008216651.tif 000004
【図３】
2008216651.tif 000005